(57)【特許請求の範囲】
【請求項１】
液剤に顆粒を含有した構成の内容物が充填された容器に装着され、前記内容物を吐出処理するディスペンサーであって、
内容物が充填された容器に固定されるシリンダ部材と、
前記内容物が吐出される吐出口が上部に配設され、前記内容物の通路となる孔部が側部に形成され、かつ前記内容物の通路となる開口部を有した袴部が底部に形成された構成とされており、前記シリンダ部材に対し前記シリンダの軸方向に移動可能な構成とされた筒状部材と、
前記筒状部材に変位可能に配設されており、前記筒状部材が前記シリンダ部材に挿入される方向に移動するとき前記孔部を開口すると共に、前記筒状部材が前記シリンダ部材から引抜き方向に移動するとき前記孔部を閉口するピストン部材と、
前記シリンダ部材内に配設されており、前記筒状部材を前記シリンダ部材から前記引抜き方向に付勢するコイルスプリングと、
前記内容物の前記容器から前記該シリンダ部材に向かう流れのみを許容するボール弁とを具備しており、
かつ、前記筒状部材に形成された孔部の最大幅寸法Ｌ１を、前記顆粒の最大幅寸法Ｌ２より大きく、かつ前記筒状部材の半径距離Ｌ３より小さく設定（Ｌ２＜Ｌ１＜Ｌ３）したことを特徴とするディスペンサー。
【請求項２】
液剤に顆粒を含有した構成の内容物が充填された容器に装着され、前記内容物を吐出処理するディスペンサーであって、
内容物が充填された容器に固定されるシリンダ部材と、
前記内容物が吐出される吐出口が上部に配設され、前記内容物の通路となる孔部が側部に形成され、かつ前記内容物の通路となる開口部を有した袴部が底部に形成された構成とされており、前記シリンダ部材に対し前記シリンダの軸方向に移動可能な構成とされた筒状部材と、
前記筒状部材に変位可能に配設されており、前記筒状部材が前記シリンダ部材に挿入される方向に移動するとき前記孔部を開口すると共に、前記筒状部材が前記シリンダ部材から引抜き方向に移動するとき前記孔部を閉口するピストン部材と、
前記シリンダ部材内に配設されており、前記筒状部材を前記シリンダ部材から前記引抜き方向に付勢するコイルスプリングと、
前記内容物の前記容器から前記該シリンダ部材に向かう流れのみを許容するボール弁とを具備しており、
前記袴部に形成された開口部の上縁と前記筒状部材の底部が面一となるよう構成したことを特徴とするディスペンサー。
【請求項３】
液剤に顆粒を含有した構成の内容物が充填された容器に装着され、前記内容物を吐出処理するディスペンサーであって、
内容物が充填された容器に固定されるシリンダ部材と、
前記内容物が吐出される吐出口が上部に配設され、前記内容物の通路となる孔部が側部に形成され、かつ前記内容物の通路となる開口部を有した袴部が底部に形成された構成とされており、前記シリンダ部材に対し前記シリンダの軸方向に移動可能な構成とされた筒状部材と、
前記筒状部材に変位可能に配設されており、前記筒状部材が前記シリンダ部材に挿入される方向に移動するとき前記孔部を開口すると共に、前記筒状部材が前記シリンダ部材から引抜き方向に移動するとき前記孔部を閉口するピストン部材と、
前記シリンダ部材内に配設されており、前記筒状部材を前記シリンダ部材から前記引抜き方向に付勢するコイルスプリングと、
前記内容物の前記容器から前記該シリンダ部材に向かう流れのみを許容するボール弁とを具備しており、
前記ボール弁の必要以上の移動を規制する規制片を、前記コイルスプリングの端部を内周側に折曲することにより形成したことを特徴とするディスペンサー。
【発明の詳細な説明】
【０００１】
【発明の属する技術分野】
本発明はディスペンサーに係り、特に液剤に顆粒を含有した内容物を吐出するディスペンサーに関する。
【０００２】
【従来の技術】
例えば乳液や化粧水の容器には、頭部に設けられた押釦を押圧操作することにより内容物を吐出させるディスペンサーが取り付けられているものがある。ディスペンサー付の容器によれば、内容物を取り出すのに容器を傾ける必要がなく扱い易く、また押釦操作により毎回定量の内容物を取り出すことができる。
【０００３】
図５乃至図８は従来のディスペンサー１０の構成を説明するための図である。図５はディスペンサー１０の全体構成を説明するための断面図である。尚、同図において、中心線より左部分は内容物を吐出させるため押圧操作を行った状態（以下、操作状態という）を示しており、また中心線より右部分は押圧操作を解除した状態（以下、操作解除状態という）を示している。
【０００４】
同図において、１はステム，２はシリンダ，３はコイルスプリング，４はキャップ，８はピストンを夫々示している。ステム１は筒状のノズルパイプ５と有底筒状のピストンガイド６とにより構成されており、シリンダ２の軸方向（図中、矢印Ｘ１，Ｘ２で示す方向）に移動可能な構成でシリンダ２に装着されている。また、シリンダ２の上部にはキャップ４が固着されており、このキャップ４が図示しない容器に装着されることにより、ディスペンサー１０は容器に固定される。コイルスプリング３はシリンダ２の内部に装着されており、前記したステム１はコイルスプリング３の上部に位置するよう配設されている。従って、ステム１はコイルスプリング３の弾性力により常に矢印Ｘ２方向に付勢された構成となっている。
【０００５】
ピストン８は、ステム１を構成するピストンガイド６の外周に配設されている。このピストン８は、装着された状態においてシリンダ２の内周とピストンガイド６の外周との間に位置し、両者を液密に画成する機能を奏する。また、ピストン８はシリンダ２の内周に摺動可能な構成とされており、よってステム１がシリンダ２に対し矢印Ｘ１，Ｘ２方向移動しても、ステム１とシリンダ２とを液密の状態に維持する。
【０００６】
また、シリンダ２の最下端部、具体的にはコイルスプリング３の配設位置よりも下部には弁収納部１７が形成されており、この弁収納部１７内にはボール弁９が配設されている。ボール弁９は、容器内に装填されている内容物のシリンダ２内への進行のみを許容する逆止弁である。
よって、容器内の内容物がシリンダ２内に進入する時、ボール弁９は弁収納部１７内において上動するが、必要以上の上動を規制するため、図８に示すように、コイルスプリング３には径寸法が徐々に小さくなるようスパイラル状に成形された規制片部１８が形成されている。ボール弁９はこの規制片部１８に当接することにより上動が規制され、ボール弁９がシリンダ２内に深く入り込んだ逆止弁として機能しなくなることを防止している。
【０００７】
ここで、図６にステム１を拡大して示すと共に、図７にピストンガイド６を拡大して示し、ステム１の構成について更に詳述する。前記したように、ステム１はノズルパイプ５とピストンガイド６とにより構成されており、下部に位置するピストンガイド６は上部に位置するノズルパイプ５の内部に嵌入された状態で固定されている。
【０００８】
ピストンガイド６は、筒状部１６の下端に底部１３を有した有底筒状形状とされている。筒状部１６には孔部１５が形成されており、この孔部１５は前記したピストン８により、操作状態においては開口され、また操作解除状態において閉口される構成とされている。
また、底部１３外周位置には下方（図５に示す矢印Ｘ１方向）に延出する袴部１２が形成されている。この袴部１２には前記したコイルスプリング３の上端部が係合すると共に、側部には開口部１４が形成されている。
【０００９】
次に、上記構成とされたディスペンサーにおいて、図５の中心線より右側に図示した操作解除状態（シリンダ２内には内容物が吸引され満たされているものとする）より、ステム１が押圧操作された時の各構成の動作について説明する。
ステム１が押圧操作され、コイルスプリング３の弾性力に抗して図中矢印Ｘ１方向に移動すると、シリンダ２とステム１の底部１３とにより形成される空間部１９（この部分に内容物が入っている）の体積が小さくなる。
【００１０】
このため、この空間部１９内の内容物は図中矢印で示すように、袴部１２に形成された開口部１４，筒状部１６に形成された孔部１５（前記のように、操作状態においてピストン８は孔部１５を開口している）を通りステム１の内部に進行する。
そして、内容物はステム１のノズルパイプ５内を上動してゆき、ノズルパイプ５の上端部に形成された吐出口２０（この吐出口２０には、通常噴射ノズル等が配設されている）から吐出される。この際、ボール弁９は空間部１９内の内容物が容器に逆流することを防いでいる。
【００１１】
一方、押圧操作を解除すると、ステム１はコイルスプリング３の弾性復元力により、図中矢印Ｘ２方向に移動し、これに伴い空間部１９の体積は増大する。また、操作状態終了後においては、空間部１９内には内容物が無い（或いは、少ない）状態であり、また筒状部１６に形成された孔部１５はピストン８により閉口された状態であるため、上記のように空間部１９の体積が増大することにより空間部１９内は負圧となる。
【００１２】
よって、ボール弁９は上動することにより開弁し、容器内の内容物がシリンダ２内に吸引される。これにより、前記した空間部１９は内容物で満たされた状態となり、次回に実施される吐出操作に即座に対応することが可能な状態となる。
【００１３】
【発明が解決しようとする課題】
ところで、近年ではディスペンサーが用いられていた化粧品（例えば、美容液，クリーム等）も多様化しており、液状の化粧料内に顆粒状薬剤を混入した化粧品が提供されるようになってきている。
しかるに、このように顆粒状薬剤を混入した化粧品を内容物とし、ディスペンサー１０で吐出させようとした場合、従来構成のディスペンサー１０は、内容物として液体（粘性流体も含む）のみのだけを考慮して設計・製造が行われていたため、化粧品に含まれる顆粒状薬剤がディスペンサー１０内の各所で詰まってしまい、良好な吐出処理を行うことができないという問題点が生じた。
【００１４】
本出願人の実験によれば、ディスペンサー１０内で顆粒状薬剤が詰まる箇所は、操作時に内容物が通過する箇所内で特に通過幅が狭まる箇所であった。具体的には、ピストンガイド６に形成された孔部１５，袴部１２に形成された開口部１４，及びコイルスプリング３の規制片部１８の形成位置において顆粒状薬剤の詰まりが発生した。
【００１５】
孔部１５において顆粒状薬剤が詰まるのは、図５乃至図７から明らかなように、内容物の他の流路に比べ、孔部１５の形成位置は流路径が大きく狭められていることに起因していると思われる。
また、袴部１２に形成された開口部１４において顆粒状薬剤が詰まるのは、図５乃至図７に示されるように、従来では底部１３が袴部１２の内部まで長く延出した構成とされていたため、これにより開口部１４の実質的な流路が狭くなることに起因していると思われる。
【００１６】
更に、コイルスプリング３の規制片部１８において顆粒状薬剤が詰まるのは、図８から明らかなように、スパイラル状の規制片部１８では、その中央部分に形成される内容物の流路が狭くなることに起因していると思われる。
本発明は上記の点に鑑みてなされたものであり、顆粒状薬剤を混入した化粧品を内容物としても円滑な吐出処理を行いうるディスペンサーを提供することを目的とする。
【００１７】
【課題を解決するための手段】
上記の課題は、次に述べる手段を講じることにより解決することができる。
請求項１記載の発明では、
液剤に顆粒を含有した構成の内容物が充填された容器に装着され、前記内容物を吐出処理するディスペンサーであって、
内容物が充填された容器に固定されるシリンダ部材と、
前記内容物が吐出される吐出口が上部に配設され、前記内容物の通路となる孔部が側部に形成され、かつ前記内容物の通路となる開口部を有した袴部が底部に形成された構成とされており、前記シリンダ部材に対し前記シリンダの軸方向に移動可能な構成とされた筒状部材と、
前記筒状部材に変位可能に配設されており、前記筒状部材が前記シリンダ部材に挿入される方向に移動するとき前記孔部を開口すると共に、前記筒状部材が前記シリンダ部材から引抜き方向に移動するとき前記孔部を閉口するピストン部材と、
前記シリンダ部材内に配設されており、前記筒状部材を前記シリンダ部材から前記引抜き方向に付勢するコイルスプリングと、
前記内容物の前記容器から前記該シリンダ部材に向かう流れのみを許容するボール弁とを具備しており、
かつ、前記筒状部材に形成された孔部の最大幅寸法Ｌ１を、前記顆粒の最大幅寸法Ｌ２より大きく、かつ前記筒状部材の半径距離Ｌ３より小さく設定（Ｌ２＜Ｌ１＜Ｌ３）したことを特徴とするものである。
【００１８】
また、請求項２記載の発明では、
液剤に顆粒を含有した構成の内容物が充填された容器に装着され、前記内容物を吐出処理するディスペンサーであって、
内容物が充填された容器に固定されるシリンダ部材と、
前記内容物が吐出される吐出口が上部に配設され、前記内容物の通路となる孔部が側部に形成され、かつ前記内容物の通路となる開口部を有した袴部が底部に形成された構成とされており、前記シリンダ部材に対し前記シリンダの軸方向に移動可能な構成とされた筒状部材と、
前記筒状部材に変位可能に配設されており、前記筒状部材が前記シリンダ部材に挿入される方向に移動するとき前記孔部を開口すると共に、前記筒状部材が前記シリンダ部材から引抜き方向に移動するとき前記孔部を閉口するピストン部材と、
前記シリンダ部材内に配設されており、前記筒状部材を前記シリンダ部材から前記引抜き方向に付勢するコイルスプリングと、
前記内容物の前記容器から前記該シリンダ部材に向かう流れのみを許容するボール弁とを具備しており、
前記袴部に形成された開口部の上縁と前記筒状部材の底部が面一となるよう構成したことを特徴とするものである。
【００１９】
更に、請求項３記載の発明では、
液剤に顆粒を含有した構成の内容物が充填された容器に装着され、前記内容物を吐出処理するディスペンサーであって、
内容物が充填された容器に固定されるシリンダ部材と、
前記内容物が吐出される吐出口が上部に配設され、前記内容物の通路となる孔部が側部に形成され、かつ前記内容物の通路となる開口部を有した袴部が底部に形成された構成とされており、前記シリンダ部材に対し前記シリンダの軸方向に移動可能な構成とされた筒状部材と、
前記筒状部材に変位可能に配設されており、前記筒状部材が前記シリンダ部材に挿入される方向に移動するとき前記孔部を開口すると共に、前記筒状部材が前記シリンダ部材から引抜き方向に移動するとき前記孔部を閉口するピストン部材と、
前記シリンダ部材内に配設されており、前記筒状部材を前記シリンダ部材から前記引抜き方向に付勢するコイルスプリングと、
前記内容物の前記容器から前記該シリンダ部材に向かう流れのみを許容するボール弁とを具備しており、
前記ボール弁の必要以上の移動を規制する規制片を、前記コイルスプリングの端部を内周側に折曲することにより形成したことを特徴とするものである。
【００２０】
上記した各手段は、次のように作用する。
請求項１記載の発明によれば、
液剤に顆粒を含有した構成の内容物を吐出処理するディスペンサーにおいて、筒状部材に形成された孔部の最大幅寸法Ｌ１を、顆粒の最大幅寸法Ｌ２より大きく（Ｌ２＜Ｌ１）したことにより、顆粒が混入された内容物であっても、確実に孔部内を通過させることができる。
【００２１】
また、孔部の最大幅寸法Ｌ１を、筒状部材の半径距離Ｌ３より小さく設定（Ｌ１＜Ｌ３）したことにより、孔部の大きさを大きくしても筒状部材の強度を維持することができる。
また、請求項２記載の発明によれば、
袴部に形成された開口部の上縁と筒状部材の底部が面一となるよう構成したことにより、底部により開口部が実質的に狭められるようなことはなく、内容物の流路を確保することができる。よって、顆粒が混入された内容物であっても、確実に開口部内を通過させることができる。
【００２２】
更に、請求項３記載の発明によれば、
ボール弁の必要以上の移動を規制する規制片を、コイルスプリングの端部を内周側に折曲することにより形成したことにより、内容物の通過面積を広くしつつ、ボール弁の移動規制を行うことができる。よって、顆粒が混入された内容物であっても、確実に規制片内を通過させることができる。
【００２３】
【発明の実施の形態】
次に本発明の実施の形態について図面と共に説明する。
図１乃至図４は従来のディスペンサー２０の構成を説明するための図である。図１はディスペンサー２０の全体構成を説明するための断面図である。
尚、同図において、中心線より左部分は内容物を吐出させるため押圧操作を行った状態（以下、操作状態という）を示しており、また中心線より右部分は押圧操作を解除した状態（以下、操作解除状態という）を示している。
【００２４】
同図において、２１はステム（筒状部材），２２はシリンダ（シリンダ部材），２３はコイルスプリング，２４はキャップ，２８はピストン，２９はボール弁を夫々示している。
ステム２１は、筒状のノズルパイプ２５と有底筒状のピストンガイド２６とを一体化した構成とされており、シリンダ２２の軸方向（図中、矢印Ｘ１，Ｘ２で示す方向）に移動可能な構成でシリンダ２２に装着されている。このノズルパイプ２５及びピストンガイド２６は共に樹脂成形品であり、接着或いは圧入等の固定方法を用いて一体化している。
【００２５】
また、シリンダ２２の上部にはキャップ２４が固定部３０において固着されており、このキャップ２４が容器開口部に装着されることにより、ディスペンサー２０は容器２７（一点鎖線で示す）に固定される。このため、キャップ２４の内周部にはネジ部３１が形成されており、このネジ部３１が容器２７の容器開口部に形成されたネジ部（図示せず）に螺着する構成となっている。
【００２６】
この容器２７には、液状の化粧料内に顆粒状薬剤を混入した化粧品（例えば、美容液，クリーム等）が装填されている。この顆粒状薬剤は、例えば直径がφ0.6mm,長さが1.25mmの葉巻形状を有している。
コイルスプリング２３は内容物に変質を与えないよう選定された弾性金属により形成されており、シリンダ２２の内部に装着されている。前記したステム２１はコイルスプリング２３の上部に位置するよう配設されており、よってステム２１はコイルスプリング２３の弾性力により、シリンダ２２から引き抜かれる方向（矢印Ｘ２方向）に常に付勢された構成となっている。
【００２７】
ピストン２８は例えばシリコンゴム或いは樹脂等により形成された環状の部材であり、ステム２１を構成するピストンガイド２６の外周を囲繞するよう配設されている。また、ピストンガイド２６の下部には大径部３９が形成されており、かつピストンガイド２６とノズルパイプ２５の固定位置には段差部３８が形成されている。ピストン２８は、この大径部３９と段差部３８との間において、ピストンガイド２６に対して若干量だけ上下方向（図中、矢印Ｘ１，Ｘ２方向）に移動可能な構成とされている。
【００２８】
このピストン２８は、ステム２１がシリンダ２２に装着された状態においてシリンダ２２の内周とピストンガイド６の外周との間に位置し、両者２１，２２を液密に画成する機能を奏する。また、ピストン２８はシリンダ２２の内周に摺動可能な構成とされており、よってステム２１がシリンダ２２に対し矢印Ｘ１，Ｘ２方向移動しても、ステム２１とシリンダ２２とを液密の状態は維持される構成となっている。
【００２９】
また、シリンダ２２の最下端部（具体的にはコイルスプリング２３の配設位置よりも下部）には弁収納部３７が形成されており、この弁収納部３７内にはボール弁２９が配設されている。このボール弁２９は、吐出操作が行われていない状態（以下、操作解除状態という）では、自重によりシリンダ２２に設けられた弁座部４３に当接し、内容物を吸引する吸引通路４４を閉弁する。
【００３０】
しかるに、後述するように、ステム２１，シリンダ２２，及びピストン２８が形成する空間部４５内が負圧となると、ボール弁２９は弁収納部３７内で上動し、吸引通路４４から容器２７内の内容物が空間部４５内に進行することを許容する。即ち、ボール弁２９は、内容物の容器２７からシリンダ２２へ向かう進行のみを許容する逆止弁として機能する。
【００３１】
上記のように、容器２７内の内容物がシリンダ２２内に進入する時、ボール弁２９は弁収納部３７内において上動するが、弁収納部３７の範囲を越えてシリンダ２２の内部まで移動すると、逆止弁としての機能を十分に果たせないおそれがある。このため、ボール弁２９の必要以上の上動を規制するため、図４に示すように、コイルスプリング２３には規制片部４１が形成されている。
【００３２】
本実施例では、コイルスプリング２３の端部を内周側に折曲することにより規制片部４１を形成した構成としている。これにより、図４（Ａ）に示すように、規制片部４１はコイルスプリング２３を平面視した状態において半径方向に延在する構成となり、よってボール弁２９の上動を規制片部４１により規制することができる。
【００３３】
尚、本実施例のコイルスプリング２３は、その上端及び下端の双方に規制片部４１を設けている。これは、ディスペンサー２０の組み立て時において、コイルスプリング２３の上下を考慮して組み付けることを省くためであり、これにより組み立て性を向上することができる。
ここで、図２及び図３を用いて、ステム２１及びピストンガイド２６の構成について更に詳述する。前記したように、ステム２１はノズルパイプ２５とピストンガイド２６とにより構成されている。ノズルパイプ２５は筒状の部材であり、その上端部に形成された吐出口４６には内容物を吐出する吐出ノズル（図示せず）が装着される。この吐出ノズルは、ステム２１を押圧操作する釦部としても機能する。
【００３４】
ピストンガイド２６は、筒状部３６の下端に底部３３を有した有底筒状形状とされている。また、筒状部３６には孔部３５が形成されており、この孔部３５は前記したピストン２８の段差部３８と大径部３９との間の変位により、操作状態においては開口され、また操作が解除された状態（以下、操作解除状態という）において閉口される構成とされている。
【００３５】
本実施例では、上記した孔部３５の形状を長方形状とし、従来の孔部１５（図７参照）に比べて大きく形成している。具体的には、孔部３５の最大幅寸法Ｌ１が、顆粒の最大幅寸法Ｌ２より大きく（Ｌ２＜Ｌ１）なるよう設定している。
この最大幅寸法Ｌ１は、本実施例のように孔部３５の形状を長方形状とした場合には孔部３５の対角線の長さとなる。また、顆粒の大きさ及び形状は予め判っているものであるから、上記のように孔部３５の最大幅寸法Ｌ１を設定することは容易に行うことができる。
【００３６】
また、孔部３５の最大幅寸法Ｌ１は、ピストンガイド２６の半径距離Ｌ３（図２（Ｂ）参照）よりも小さく設定（Ｌ１＜Ｌ３）されている。これは、孔部３５を余りに大きく設定すると、ピストンガイド２６の強度が低下し、ステム２１の動作が円滑に行われなくなるおそれがあるからである。
また、ピストンガイド２６の底部３３の外周位置には、下方（図１に示す矢印Ｘ１方向）に延出する袴部３２が形成されている。前記したコイルスプリング３の上端部は、この袴部３２と係合することにより、ステム２１を矢印Ｘ２方向に付勢する構成となっている。
【００３７】
また、袴部３２の側部には、開口部３４が形成されている。本実施例では、袴部３２に形成された開口部３４の上縁３４ａと、ピストンガイド２６を構成する底部３３の底面３３ａが面一となるよう構成している（図２（Ｂ）に詳しい）。
次に、上記構成とされたディスペンサー２０の動作について、主に図１を用いて説明する。尚、以下の説明では、中心線より右側に示された操作解除状態（シリンダ２２内には内容物が吸引され満たされているものとする）より、ステム２１が押圧操作された時の各構成の動作について説明する。
【００３８】
ノズルパイプ２５の吐出口に配設された吐出ノズルが押圧操作され、ステム２１がコイルスプリング２３の弾性力に抗して図中矢印Ｘ１方向に移動すると、ステム２１（底部３３），シリンダ２２，及びピストン２８とにより形成される空間部４５（この部分に内容物が入っている）の体積は小さくなる。
このため、この空間部４５内の内容物は図中矢印で示すように、吸引通路４４，袴部３２に形成された開口部３４，筒状部３６に形成された孔部３５（前記のように、操作状態においてピストン２８は孔部３５を開口している）を通りステム２１の内部に進行する。
【００３９】
そして、内容物はステム２１のノズルパイプ２５内を上動してゆき、ノズルパイプ２５の吐出口４６から吐出ノズルを介して外部に吐出される。また、操作状態では、ボール弁２９は空間部４５内の内容物が容器２７に逆流することを防いでいる。
上記のように吐出操作時には、顆粒を含む内容物は吸引通路４４，開口部３４，孔部３５を通りステム２１の内部に進行する。この際、吸引通路４４からシリンダ２２内に進入した内容物は、先ずコイルスプリング２３の配設位置を通過する。
【００４０】
前記のように、コイルスプリング２３には内容物の通過経路内に位置する規制片部４１が形成されている。しかるに、本実施例に係る規制片部４１は、前記のようにコイルスプリング２３の端部を内周側に折曲することにより形成した構成とされている。
よって、コイルスプリング２３の上下両端部における内容物の通過面積を広くなっており、内容物に顆粒が混入されていても、この顆粒は規制片４１で詰まるようなことなく、確実に通過させることができる。
【００４１】
また、コイルスプリング２３を通過した内容物は、続いて開口部３４を通過する。本実施例の開口部３４は、前記したようにその上縁３４ａが底部３３の底面３３ａと面一となるよう構成されている。
よって、従来のように開口部１４と対向する位置に底部１３が存在する構成（図６，図７参照）に比べ、内容物が流れる開口部３４の実質的な面積が広くなり、よって顆粒が混入された内容物であっても、顆粒は確実に開口部３４を通過し、よって開口部３４に顆粒が詰まることを防止することができる。
【００４２】
また、開口部３４を通過した内容物は、続いて孔部３５を通過する。前記したように、孔部３５はその形状を長方形状とし、かつ、その大きさを従来の孔部１５に比べて大きく設定している。
更に、孔部３５の最大幅寸法Ｌ１は、顆粒の最大幅寸法Ｌ２より大きく（Ｌ２＜Ｌ１）なるよう設定している。よって、顆粒が混入された内容物であっても、顆粒は確実に孔部３５を通過し、よって孔部３５に顆粒が詰まることを防止することができる。
【００４３】
尚、本実施例において、孔部３５の形状をを矢印Ｘ１，Ｘ２方向を短辺とし、周方向に長辺を有する長方形状としたのは、前記したように、孔部３５はピストン２８の微小な変位により開閉されるものであるため、矢印Ｘ１，Ｘ２方向の長さを大きくすると、ピストン２８が正確に孔部３５を開閉することが困難となるからである。
【００４４】
また、本実施例の構成では、孔部３５の短辺の長さが顆粒の最大幅寸法Ｌ２より小さくなることがある。しかるに、本発明者の実験によれば、孔部３５の一部に顆粒の最大幅寸法Ｌ２より大きい寸法部分を形成しておくことにより、顆粒は孔部３５を円滑に通過することが実証された。
一方、押圧操作を解除すると、ステム２１はコイルスプリング２３の弾性復元力により、図中矢印Ｘ２方向に移動し、これに伴い空間部４５の体積は増大する。また、操作状態終了後においては、空間部４５内には内容物が無い（或いは、少ない）状態であり、また筒状部３６に形成された孔部３５はピストン２８により閉口された状態である。
【００４５】
このため、上記のように空間部４５の体積が増大することにより空間部４５内は負圧となり、ボール弁２９は上動することにより開弁し、容器内の内容物がシリンダ２２内に吸引される。これにより、前記した空間部４５は内容物で満たされた状態となり、次回に実施される吐出操作に即座に対応することが可能な状態となる。
【００４６】
【発明の効果】
上述の如く本発明によれば、次に述べる種々の効果を実現することができる。
請求項１記載の発明によれば、筒状部材の強度を維持しつつ、かつ、顆粒が混入された内容物でも確実に孔部内を通過させることができる。
また、請求項２記載の発明によれば、底部により開口部が実質的に狭められるようなことはないため、顆粒が混入された内容物であっても確実に開口部内を通過させることができる。
【００４７】
更に、請求項３記載の発明によれば、ボール弁の不要な移動規制を行いつつ、かつ、顆粒が混入された内容物であっても確実に規制片内を通過させることができる。
【図面の簡単な説明】
【図１】本発明の一実施例であるディスペンサーの全体構成を示す断面図である。
【図２】本発明の一実施例であるディスペンサーに適用するピストンガイドを拡大して示す図である。
【図３】本発明の一実施例であるディスペンサーに適用するステムを拡大して示す断面図である。
【図４】本発明の一実施例であるディスペンサーに適用するコイルスプリングを拡大して示す図である。
【図５】従来のディスペンサーの一例を説明するための断面図である。
【図６】図５に示すディスペンサーに用いられたステムを拡大して示す断面図である。
【図７】図５に示すディスペンサーに用いられたピストンガイドを拡大して示す部分断面図である。
【図８】図５に示すディスペンサーに用いられたコイルスプリングを拡大して示す図である。
【符号の説明】
２０  ディスペンサー
２１  ステム
２２  シリンダ
２３  コイルスプリング
２４  キャップ
２５  ノズルパイプ
２６  ピストンガイド
２７  容器
２８  ピストン
２９  ボール弁
３２  袴部
３３  底部
３４  開口部
３５  孔部
３６  筒状部
３７  弁収納部
４０  延出片部
４１  規制片
【図１】
0003667523.tif 000002
【図２】
0003667523.tif 000003
【図３】
0003667523.tif 000004
【図４】
0003667523.tif 000005
【図５】
0003667523.tif 000006
【図６】
0003667523.tif 000007
【図７】
0003667523.tif 000008
【図８】
0003667523.tif 000009